(57)【要約】【課題】大きくカールしている多数枚のシート、或いはシートテーブルに載置可能な所定数を超えたシートがシートテーブルに載置されることを防止するシート給送装置及びそれを備えた画像形成装置を提供する。【解決手段】原稿給送装置２７は、下流側部６２と上流側部６３を形成した第１阻止部材６１とロック部材６７とを備える。所定の高さを超えて凹状にカールしたシートによって、上流側部６３がシート給送方向Ｂの上流側から押圧され、ロック部材６７が下流側部６２の平行状態を解除したとき、下流側部６２は、載置面５１ａ側に回動し、下流側部６２によって、原稿Ｓが載置面５１ａと第１阻止部材６１との間に挿入されることが阻止される。【選択図】図４
2014205555.tif 000002
【特許請求の範囲】
【請求項１】
シートを載置する載置面を有するシートテーブルと、
該シートテーブルに載置されたシートの縁部に当接する接触面を有し、該接触面がシートの縁部に当接することで、シートの給送方向と直交する幅方向を位置決めする一対の幅規制部材と、
該幅規制部材の接触面から幅方向内側に突出し、前記シートテーブルに載置されたシートの上面の幅方向端部に対向して設けられ、載置されるシート束の高さを規制するシート押え部と、
前記シートテーブルに載置されたシートを送給する送給手段と、を備えるシート給送装置において、
前記シート押え部は、
前記幅規制部材に設けられた第１支軸と、
該第１支軸に回動可能に支持される板状部材であって、前記第１支軸に対してシート給送方向の下流側に配置され前記載置面に対して所定の角度を形成する下流側部と、前記第１支軸に対してシート給送方向の上流側に配置され、且つ前記載置面に対してシート給送方向の上流側に向かって前記下流側部より大きい角度を形成する上流側部と、を有し、自重若しくは付勢部材の付勢力により前記上流側部の回動端が上方向に回動する第１阻止部材と、
前記下流側部を前記載置面に対して略平行に保持するとともに、前記上流側部がシート給送方向の上流側から所定以上の押圧力で押圧されて前記下流側部が下方向に回動すると、前記下流側部の保持状態を解除するロック部材とを有し、
前記ロック部材が前記下流側部の保持状態を解除したとき、前記下流側部は前記載置面側に回動して前記載置面に当接することを特徴とするシート給送装置。
【請求項２】
前記シート押え部は、
前記第１阻止部材に対してシート給送方向の下流側に配置された第２支軸と、
一端部が前記第２支軸を中心に回動可能に支持される一方、他端部が自重によって常に前記下流側部の上面に当接している第２阻止部材を備えることを特徴とする請求項１に記載のシート給送装置。
【請求項３】
前記第２阻止部材は、前記第１阻止部材が前記載置面に対して略平行に保持されているとき、前記載置面と略平行になるように配置されることを特徴とする請求項２に記載のシート給送装置。
【請求項４】
前記第２支軸には、回転可能なコロが設けられることを特徴とする請求項２または請求項３に記載のシート給送装置。
【請求項５】
前記第１支軸には、回転可能なコロが設けられることを特徴とする請求項１〜請求項４のいずれかに記載のシート給送装置。
【請求項６】
前記ロック部材は、前記接触面に対し突出または退避可能なピンと、該ピンを突出方向に付勢するバネとを有しており、
前記第１阻止部材は、突出する前記ピンに当接することにより、前記下流側部が前記載置面に対して略平行に保持されることを特徴とする請求項１〜請求項５のいずれかに記載のシート給送装置。
【請求項７】
前記ロック部材は、磁石と該磁石に吸着される金属板からなり、前記磁石は、前記第１阻止部材と前記幅規制部材の接触面の一方に設けられ、前記金属板は、前記第１阻止部材と前記幅規制部材の接触面の他方に設けられることを特徴とする請求項１〜請求項５のいずれかに記載のシート給送装置。
【請求項８】
前記ロック部材は、磁石と該磁石に吸着される金属板からなり、前記磁石は、前記第１阻止部材の上面と前記第２阻止部材の下面の一方に設けられ、前記金属板は、前記第１阻止部材の上面と前記第２阻止部材の下面の他方に設けられることを特徴とする請求項２〜請求項４のいずれかに記載のシート給送装置。
【請求項９】
請求項１〜請求項８のいずれかに記載のシート給送装置を備えた画像形成装置。
【発明の詳細な説明】
【技術分野】
【０００１】
本発明は、複写機、プリンター、ファクシミリ、それらの複合機等の画像形成装置、或いはイメージスキャナーに用いる原稿等のシートを給送するシート給送装置及びそれを備えた画像形成装置に関するものである。
【背景技術】
【０００２】
従来から、シートテーブル上に載置された原稿束から１枚ずつ分離し、分離した１枚の原稿を原稿読取装置に給送するシート給送装置が知られている。シート給送装置は、シートテーブル上の原稿を給送手段によって原稿読取装置に送り出すが、原稿を送り出す際、シートテーブル上の原稿が給送方向に対して傾斜（スキュー）して給送されることがある。原稿のスキューは、シートの幅方向を位置決めする一対の幅規制部材に原稿の縁部を当接させて防止している。しかし、原稿がカールしている場合、一対の幅規制部材に原稿の縁部を当接させてもスキューを防ぐことは困難である。
【０００３】
そこで、原稿がカールした状態で給送されることを防ぐ技術が知られている。特許文献１記載のシート給送装置は、幅規制部材のシートの接触面側にカール押え部材を設けている。カール押え部材は、幅規制部材のシートの接触面から突出し原稿の上面を押えるための屋根部を備える。屋根部の一方端は、軸によって幅規制部材に対して回動可能に取り付けており、屋根部の他方端は、屋根部とシートテーブルの原稿載置面との距離を変更可能にするための位置決め突起を有している。位置決め突起は、幅規制部材に設けた複数の固定穴の何れかに係合可能である。シートテーブルに載置する原稿の枚数に応じて、位置決め突起が係合する固定穴を変えることによって、屋根部の高さが変わり、カールした原稿を押さえることができるようにしている。
【先行技術文献】
【特許文献】
【０００４】
【特許文献１】特開平９−８６６８４号公報（段落［００３６］、［００３７］、第７図）
【発明の概要】
【発明が解決しようとする課題】
【０００５】
しかしながら、特許文献１記載のシート給送装置では、枚数が多く、また原稿載置面から凹状に大きくカールしている原稿を原稿載置面とカール押え部材との間に挿入する場合、屋根部を最も高くなるように調節しても、原稿束の上側の原稿がカール押え部材の端面に衝突し、原稿を傷めることになる。また、カール押え部材が薄板部材によって形成され、原稿が厚紙である場合、原稿を原稿載置面とカール押え部材との間に無理に挿入すると、カール押え部材が破損するおそれがある。
【０００６】
本発明は、上記のような課題を解決するためになされたものであり、大きくカールしている多数枚のシート、或いはシートテーブルに載置可能な所定枚数を超えたシートがシートテーブルに載置されることを防止するシート給送装置及びそれを備えた画像形成装置を提供することを目的とする。
【課題を解決するための手段】
【０００７】
上記目的を達成するために本発明の第１の構成は、シートを載置する載置面を有するシートテーブルと、該シートテーブルに載置されたシートの縁部に当接する接触面を有し、該接触面がシートの縁部に当接することで、シートの給送方向と直交する幅方向を位置決めする一対の幅規制部材と、該幅規制部材の接触面から幅方向内側に突出し、前記シートテーブルに載置されたシートの上面の幅方向端部に対向して設けられ、載置されるシート束の高さを規制するシート押え部と、前記シートテーブルに載置されたシートを送給する送給手段と、を備えるシート給送装置において、前記シート押え部は、前記幅規制部材に設けられた第１支軸と、該第１支軸に回動可能に支持される板状部材であって、前記第１支軸に対してシート給送方向の下流側に配置され前記載置面に対して所定の角度を形成する下流側部と、前記第１支軸に対してシート給送方向の上流側に配置され、且つ前記載置面に対してシート給送方向の上流側に向かって前記下流側部より大きい角度を形成する上流側部と、を有し、自重若しくは付勢部材の付勢力により前記上流側部の回動端が上方向に回動する第１阻止部材と、前記下流側部を前記載置面に対して略平行に保持するとともに、前記上流側部がシート給送方向の上流側から所定以上の押圧力で押圧されて前記下流側部が下方向に回動すると、前記下流側部の保持状態を解除するロック部材とを有し、前記ロック部材が前記下流側部の保持状態を解除したとき、前記下流側部は前記載置面側に回動して前記載置面に当接することを特徴としている。
【発明の効果】
【０００８】
第１の構成によれば、シートをシートテーブルに載置するために、所定の高さを超えて凹状にカールしたシート、或いはシートテーブルに載置可能な所定枚数を超えたシートを、シートテーブルと第１阻止部材との間に挿入する場合、シート束の上側のシートが上流側部を押圧することで、ロック部材による第１阻止部材の係止が解除される。ロック部材の第１阻止部材に対する係止の解除により、第１阻止部材は自重若しくは付勢部材の付勢力によって第１支軸を中心に回転する。第１阻止部材の回転によって、下流側部が載置面側に回動し、下流側部によって、シートが載置面と第１阻止部材との間にさらに挿入されることを阻止される。これによって、所定の高さを超えてカールしたシート、或いはシートテーブル上に載置可能な所定枚数を超えたシートをシートテーブルに載置する不具合を防止できる。
【図面の簡単な説明】
【０００９】
【図１】本発明の第１実施形態に係る原稿給送装置を備えた画像形成装置を示す断面図
【図２】第１実施形態に係る原稿給送装置を示す断面図
【図３】第１実施形態に係る原稿載置トレイを示す斜視図
【図４】第１実施形態に係る原稿載置トレイのシート押え部を示す斜視図
【図５】第１実施形態に係るロック部材周辺の断面を上流側部の先端方向から見た図
【図６】第１実施形態に係るカールした原稿がシートテーブルに載置されることを阻止した状態を示す平面図
【図７】第１実施形態に係るカールした原稿がシートテーブルに載置されることを阻止した状態を示す側面図
【図８】本発明の第２実施形態に係る原稿載置トレイのシート押え部を示す斜視図
【図９】第２実施形態に係るカールした原稿がシートテーブルに載置されることを阻止した状態を示す側面図
【図１０】本発明の第３実施形態に係るロック部材を示す側面図
【発明を実施するための形態】
【００１０】
以下に本発明の実施形態について図面を参照して説明するが、本発明は、この実施形態に限定されない。また発明の用途やここで示す用語等はこれに限定されるものではない。
【００１１】
（第１実施形態）
図１は、本発明の実施形態である原稿給送装置を備えた画像形成装置を示す断面図である。画像形成装置１００は、その下部にカセットタイプの用紙給紙部１０を備える。用紙給紙部１０は上下２段の給紙カセット１０ａ、１０ｂを有し、給紙カセット１０ａ、１０ｂには印刷前の用紙が積載して収容されている。給紙カセット１０ａ、１０ｂに収容された用紙は、選択された給紙カセット１０ａ（１０ｂ）から用紙ピックアップローラー１０ｄ（１０ｅ）により１枚ずつ用紙搬送路１１へと送り出される。
【００１２】
画像形成装置１００の右側面には、手差しトレイ１０ｃが配設されている。手差しトレイ１０ｃは、給紙カセット１０ａ、１０ｂと異なるサイズの用紙が載置可能である。手差しトレイ１０ｃに載置された用紙は用紙搬送路１１へと送り出される。
【００１３】
用紙搬送路１１は用紙給紙部１０の左上方に配置されている。用紙給紙部１０から送り出された用紙が、用紙搬送路１１上方のレジストローラー１２に搬送される。レジストローラー１２は、用紙にトナー像を転写するタイミングと同期をとって、画像形成部３に向けて用紙を搬送する。
【００１４】
画像形成装置１００の上部には原稿読取装置６が配設され、原稿読取装置６の上面には、プラテン（原稿押さえ）２４が開閉可能に設けられ、さらに、プラテン２４上には原稿給送装置２７が付設されている。原稿を複写する場合、原稿給送装置２７に載置された原稿が１枚ずつ分離されて原稿読取部に送り出され、原稿読取装置６によって原稿の画像データが読み取られる。
【００１５】
画像形成装置１００の略中央部には、画像形成部３が配設されている。画像形成部３は、像担持体である感光体５を備え、感光体５の外周には、感光体５の回転方向（図中のＡ方向）に沿って順に、帯電装置４と、露光ユニット７と、現像ユニット８と、転写ローラー１３と、クリーニング装置１８を備える。現像ユニット８へのトナーの供給はトナーコンテナ９から行われる。
【００１６】
感光体５の表面が帯電装置４によって所定の極性および電位で一様に帯電されると、 露光ユニット７は、原稿読取装置６によって読み取られた原稿の画像データに基づいて、感光体５上に原稿画像の静電潜像を形成する。
【００１７】
現像ユニット８は、帯電したトナーを感光体５の表面に供給し、感光体５上の静電潜像を現像してトナー像を形成する。トナー像は転写ローラー１３によって用紙上に転写される。トナー像が転写された用紙は、定着部１４へと搬送される。用紙にトナー像が転写された後、感光体５の表面に残留するトナーがクリーニング装置１８によってクリーニングされて回収され、さらに図示しない除電装置によって感光体５の表面の残留電荷が除去される。
【００１８】
定着部１４は、熱源を内蔵する定着ローラー１４ａと加圧ローラー１４ｂとを有し、トナー像が転写された用紙を定着ローラー１４ａ及び加圧ローラー１４ｂによって加圧及び加熱し、用紙上のトナー像を溶融定着させる。トナー像が定着された用紙は、排出ローラー対２０ａによって胴内排紙部１７ａに排出される。
【００１９】
トナー像が定着された用紙は、必要に応じて、経路切り替えガイド２１によって搬送方向を切り替えられ、排出ローラー対２０ｂによってスタックトレイ１７ｂ上に排出される。また、両面印刷を行う場合、胴内排紙部１７ａに排出させる途中において、用紙の後端が切り替えガイド２１を通過したタイミングで排出ローラー対２０ａを逆回転させ、経路切り替えガイド２１、２２を用紙搬送路１６側に切り替える。これによって、用紙は、用紙搬送路１６を通って、用紙搬送路１１からレジストローラー１２に搬送される。その後、画像形成部３で用紙の裏面にもトナー像が転写されると、用紙は定着部１４によって再度定着され排出される。
【００２０】
図２は、シート給送装置である原稿給送装置２７を示す断面図である。原稿給送装置２７は、複数枚のシートである原稿を整合して積載することが可能である原稿載置トレイ２９と、原稿載置トレイ２９の下方に設けられた反転トレイ３０とを有し、原稿載置トレイ２９及び反転トレイ３０は原稿給送装置２７の装置本体に装着されている。また、原稿給送装置２７はカバー部材３１を備える。カバー部材３１は、原稿給送装置２７の装置本体に対し一端（図２の左下側）を回動支点として開閉可能に支持されている。カバー部材３１内には、原稿載置トレイ２９から原稿排出トレイ３２に至る略Ｕ字状の原稿給送路Ｄが形成されており、カバー部材３１を開放することで原稿給送路Ｄを開放し、ジャム処理が可能となっている。
【００２１】
カバー部材３１内には、原稿給送路Ｄに沿ってピックアップローラー３３と、給紙部３４と、レジストローラー対３６と、ＣＩＳローラー４１と、搬送ローラー対３８、３９と、反転ローラー対４２と、排出ローラー対４３等からなる給送手段が設けられている。原稿給送路Ｄはレジストローラー対３６から原稿読取部Ｒに至る間において給送方向を反転するように湾曲している。また、原稿給送路Ｄには、原稿の存否或いは通過を検知するためのセンサー８１が設けられている。
【００２２】
原稿の給送には、シートスルー方式が用いられる。シートスルー方式では、原稿載置トレイ２９に画像面を上向きにして複数枚の原稿をセットした後、画像形成装置１００の操作パネルのコピー開始ボタンがオンされると、昇降機構（図示せず）により上昇したリフト板４５が原稿を介してピックアップローラー３３を押し上げる。リフト板４５が上昇することで、原稿の上面が所定の圧力（給紙圧）でピックアップローラー３３に押しつけられる。
【００２３】
ピックアップローラー３３が回転すると、原稿載置トレイ２９にセットされた原稿は、ピックアップローラー３３によって上段の複数枚が給紙部３４に送られる。複数枚の原稿のうち最上の１枚の原稿が給紙部３４によって分離されてレジストローラー対３６に向けて給送される。所定のタイミングでレジストローラー対３６が回転すると、レジストローラー対３６、ＣＩＳローラー４１、搬送ローラー対３８、３９により、原稿は原稿読取部Ｒを経て排出ローラー対４３に向けて搬送された後、排出ローラー対４３によって原稿排出トレイ３２上に排出される。
【００２４】
また、両面原稿を読み取る場合は、原稿読取部Ｒで原稿表面の画像を読み取った後、分岐爪４７により原稿を反転トレイ３０に振り分け、反転ローラー対４２を逆転させて、原稿の裏面を上にした状態で再びレジストローラー対３６の上流側に搬送し、原稿読取部Ｒで原稿裏面の画像を読み取ることになる。
【００２５】
図３は原稿載置トレイ２９を示す斜視図である。原稿載置トレイ２９は、原稿を載置するシートテーブル５１と、シートテーブル５１に載置された原稿を所定の位置に位置決めする一対の幅規制部材５２と、シートテーブル５１に載置された原稿がカールした状態で給送されることを制限する一対のシート押え部６０を備える。尚、図３の左側のシート押え部６０は幅規制部材５２により不可視の状態にある。
【００２６】
一対の幅規制部材５２は、合成樹脂によってＬ字状に形成され、原稿給送方向Ｂと直交する幅方向で互いに対向して配置される。また、幅規制部材５２は、シートテーブル５１の載置面５１ａに対して幅方向に往復移動可能に取り付けられる。一対の幅規制部材５２は、互いに接近、或いは離間する方向に図示しない作動機構によって移動させられる。例えば、一対の幅規制部材５２の作動機構は、幅方向に延びる一対のラックと、一対のラックに噛合するピニオンとを有し、一方の幅規制部材５２を幅方向に移動させることにより、一対のラックとピニオンの噛合により、他方の幅規制部材５２が一方の幅規制部材５２に対して反対方向に同一量だけ移動する。従って、載置面５１ａに原稿を載置し、載置した原稿の縁部が一対の幅規制部材５２の接触面５２ａに当接するまで、幅規制部材５２を移動させることで、原稿の幅に合わせて原稿の位置決めが行われる。
【００２７】
シート押え部６０は、幅規制部材５２に作動可能に設けられ、シートテーブル５１に原稿を載置していない場合、図３に示す状態に保持されている。一方、シート押え部６０と載置面５１ａとの間に原稿給送方向Ｂの上流側から原稿が挿入されたとき、挿入される原稿の枚数、或いはカールの有無等の原稿の状態に応じて、シート押え部６０は作動する。
【００２８】
シート押え部６０の詳しい構成を図４、図５に示す。図４はシート押え部６０を示す斜視図であり、図５は、シート押え部６０のロック部材６７を示す断面図である。
【００２９】
図４に示すように、シート押え部６０は、幅規制部材５２の接触面５２ａから幅方向内側に突出するように設けられ、シートテーブル５１に載置された原稿の上面の幅方向端部に対向している。また、シート押え部６０は、下流側部６２と上流側部６３を有する第１阻止部材６１と、第１阻止部材６１を回転可能に支持する第１支軸６５と、ロック部材６７と、回転止め部材６８を備える。
【００３０】
第１阻止部材６１は、幅規制部材５２の接触面５２ａから突出して配置され、合成樹脂にて「へ」字状に屈曲した板状に形成される。第１阻止部材６１は、幅規制部材５２に固着した第１支軸６５に回動可能に支持される。
【００３１】
第１阻止部材６１の下流側部６２及び上流側部６３は夫々平板状に形成される。下流側部６２は、第１支軸６５に対して原稿給送方向Ｂの下流側に配置される一方、上流側部６３は、第１支軸６５に対して原稿給送方向Ｂの上流側に配置される。下流側部６２が載置面５１ａ（図３参照）に対して所定の角度を有して配置されるとき、上流側部６３は、載置面５１ａに対して原稿給送方向Ｂの上流側に向かって下流側部６２より大きい角度を形成するように構成される。また、上流側部６３の質量は下流側部６２の質量より小さく構成され、この構成により、第１阻止部材６１は、第１支軸６５に対して図４の反時計回り方向の慣性モーメントを備えることになる。
【００３２】
シートテーブル５１に原稿を載置していない場合、第１阻止部材６１の上流側部６３は、ロック部材６７によって係止される。この係止状態では、下流側部６２は載置面５１ａ（図３参照）と略平行に保持される一方、上流側部６３は、原稿給送方向Ｂの上流側において斜め上方に開いた状態で保持されている。
【００３３】
図５は、ロック部材６７周辺の断面を上流側部６３の先端方向から見た図である。図５に示すように、ロック部材６７は、幅規制部材５２の接触面５２ａに対し突出または退避可能なピン６９と、ピン６９を突出方向に付勢するコイルスプリング等のバネ７１を有する。
【００３４】
ピン６９は、円筒状であって、その一端部が幅規制部材５２の接触面５２ａの反対側の面に当接可能なフランジ部を有し、その他端部が上流側部６３の一方の面６３ａに当接可能な円弧部６９ａを有する。ピン６９がバネ７１の付勢力によって接触面５２ａから突出している状態では、第１阻止部材６１（図４参照）の慣性モーメントにより、上流側部６３の一方の面（図４の上面）６３ａがピン６９の円弧部６９ａに当接し、下流側部６２（図４参照）は載置面５１ａに対して略平行に保持されている（図４の状態）。一方、上流側部６３の他方の面（図４の下面）６３ｂが原稿搬送方向Ｂの下流側に押されると、ピン６９の円弧部６９ａが上流側部６３によって退避方向に押されるので、ピン６９はバネ７１の付勢力に抗して退避方向に移動する。ピン６９が退避方向に移動すると、ロック部材６７は第１阻止部材６１の係止を解除するために、第１阻止部材６１は、その慣性モーメントによって第１支軸６５（図４参照）を中心に反時計方向に回転する。
【００３５】
図４に戻り、ロック部材６７の第１阻止部材６１に対する係止解除により、第１阻止部材６１が反時計方向に回転すると、上流側部６３は、載置面５１ａに対して垂直状態となる方向に回動し、一方、下流側部６２は載置面５１ａに接近するように回動する（図７参照）。
【００３６】
回転止め部材６８は、接触面５２ａから突出して幅規制部材５２に固着される。ロック部材６７の第１阻止部材６１に対する係止の解除により、下流側部６２が回動し載置面５１ａ側に倒れていた状態から、下流側部６２を載置面５１ａに対して平行状態に戻す場合、第１阻止部材６１が時計方向に所定の位置まで回転させられると、下流側部６２が回転止め部材６８に当接する。この構成により、第１阻止部材６１を必要以上に回転させることなく、第１阻止部材６１をロック部材６７による係止状態に戻すことができる。また、図４の状態で載置面５１ａに束状の原稿を載置し、幅規制部材５２により原稿の幅方向の位置決めを行う際に、第１阻止部材６１の下流側部６２がカールした原稿により上方に押されることがある。その場合、回転止め部材６８が第１阻止部材６１の時計回り方向への回動を規制するため、カールした原稿の幅方向端部を下流側部６２によって確実に押さえることができる。
【００３７】
シートテーブル５１への原稿の載置について、図４、図６、図７を用いて説明する。図６は、カールした原稿がシートテーブル５１に載置されることを阻止した状態を示す、原稿搬送方向の上流側から見た平面図である。図７は、カールした原稿がシートテーブル５１に載置されることを阻止した状態を装置前側から見た側面図である。尚、図６、図７では、載置面５１ａに載置可能な所定の枚数の原稿の高さをＨとし、高さＨは、下流側部６２が載置面５１ａと略平行状態にあるとき、載置面５１ａから第１支軸６５の下端までの距離である。
【００３８】
図４に示すように、ロック部材６７が第１阻止部材６１の上流側部６３を係止し、下流側部６２が載置面５１ａ（図３参照）に対して略平行状態にあるとき、所定の枚数以下の枚数の原稿、或いは、所定の高さＨ以下に凹状にカールした原稿は、載置面５１ａと第１阻止部材６１との間に挿入され、載置面５１ａに載置することができる。原稿が載置面５１ａに載置された後、一対の幅規制部材５２が互いに接近する方向に移動させられ、幅規制部材５２の接触面５２ａが原稿の縁部に当接する。原稿の縁部が幅規制部材５２の接触面５２ａに当接することで、原稿の幅方向が位置決めされ、またシート押え部６０によって原稿のカールが押えられるために、原稿は幅規制部材５２の接触面５２ａに沿って確実にガイドされて送給可能となる。
【００３９】
図６に示すように、所定の高さＨを超えて幅方向中央部が凹状にカールした原稿Ｓを、第１阻止部材６１と載置面５１ａとの間に原稿搬送方向Ｂ（図４参照）の上流側から挿入する場合、所定の高さＨを超えて凹状にカールした原稿Ｓの先端が第１阻止部材６１の上流側部６３に当接する。上記のカールした原稿Ｓが上流側部６３の当接面６３ｂ（図７参照）に当接した状態で原稿Ｓがさらに挿入されると、上流側部６３の当接面６３ｂを挿入方向に押圧することで、ロック部材６７が退避して第１阻止部材６１に対する係止が解除される。
【００４０】
図７に示すように、第１阻止部材６１は、ロック部材６７による係止が解除されると、第１阻止部材６１の慣性モーメントにより、第１支軸６５を中心に反時計回りに回転する。第１阻止部材６１の回転により、下流側部６２は載置面５１ａ側に回動し、載置面５１ａに当接する。或いは、原稿束の下側の一部の原稿Ｓが、既に下流側部６２を超えて原稿搬送方向Ｂの下流側に挿入されている場合、下流側部６２は、載置面５１ａ上の原稿Ｓの上面に当接する。このように、下流側部６２が載置面５１ａ側に回動することで、原稿Ｓが載置面５１ａと第１阻止部材６１との間にさらに挿入されることが阻止される。従って、原稿Ｓが載置面５１ａと第１阻止部材６１との間に無理に挿入されることがなく、原稿を傷めることがない。
【００４１】
同様に、置面５１ａに載置可能な所定の枚数を超える原稿Ｓを第１阻止部材６１と載置面５１ａとの間に挿入する場合も、所定の枚数を超えた原稿Ｓが上流側部６３に当接し、上流側部６３の当接面６３ｂを挿入方向に押圧することで、ロック部材６７の第１阻止部材６１に対する係止が解除され、下流側部６２は載置面５１ａ側に回動する。下流側部６２が載置面５１ａ側に回動することで、原稿Ｓが載置面５１ａと第１阻止部材６１との間にさらに挿入されることが阻止される。
【００４２】
尚、上記第１実施形態では、ロック部材６７はピン６９とバネ７１を有する構成を示したが、本発明はこれに限らず、ロック部材６７を磁石と磁石に吸着される金属板とで構成してもよい。具体的には、第１阻止部材６１と幅規制部材５２の接触面５２ａのうちのいずれか一方に磁石を設け、他方に金属板を設ける。そして、磁石と金属板との間に作用する磁力によって第１阻止部材６１の上流側部６３を係止し、下流側部６２が載置面５１ａ（図３参照）に対して略平行状態となるように保持する。この場合も上記実施形態と同様の効果を奏する。
【００４３】
（第２実施形態）
図８、図９は、第２実施形態に係る原稿給送装置２７のシート押え部６０を示す図である。図８は、シート押え部６０を示す斜視図であり、図９は、カールした原稿Ｓがシートテーブル５１に載置されることを阻止した状態を示す側面図である。第２実施形態は、第１実施形態の第１阻止部材６１に加えて第２阻止部材７３を設けたものであり、第１実施形態と異なる、第２阻止部材７３について主に説明し、以降、第１実施形態と同じ部分の説明を省略する。
【００４４】
図８に示すように、シート押え部６０は、第１実施形態と同様に、第１阻止部材６１と、第１阻止部材６１を回転可能に支持する第１支軸６５と、ロック部材６７等を備え、さらに、第２阻止部材７３と、第２阻止部材７３を回転可能に支持する第２支軸７４と、第１支軸６５に回転可能に支持されるコロ７６と、第２支軸７４に回転可能に支持されるコロ７７を備える。
【００４５】
第２阻止部材７３は、第１阻止部材６１に対してシート給送方向Ｂの下流側に配置され、合成樹脂にて平板状に形成される。第２阻止部材７３のシート給送方向Ｂの下流側端部は、第２支軸７４を中心に回動可能に支持される。第２阻止部材７３のシート給送方向Ｂの上流側端部は、第２阻止部材７３の自重により、第１阻止部材６１の下流側部６２の上面に常に当接している。第１阻止部材６１がロック部材６７により係止され、下流側部６２が載置面５１ａ（図３参照）に対して略平行状態にあるとき、第２阻止部材７３は、載置面５１ａに対して略平行状態にあるように配置される。
【００４６】
コロ７６は、第１支軸６５の奥側に回転可能に取り付けられている。載置面５１ａ上の原稿Ｓが給送されるとき、原稿Ｓの上面がコロ７６に接触すると、コロ７６が回転するので、給送される原稿Ｓが滑らかに送られる。
【００４７】
コロ７７は、第２支軸７４の奥側に回転可能に取り付けられている。載置面５１ａ上の原稿Ｓが給送されるとき、原稿Ｓの上面がコロ７７に接触すると、コロ７７が回転するので、給送される原稿Ｓが滑らかに送られる。
【００４８】
上記の構成において、所定の高さＨを超えて凹状にカールした原稿Ｓを、第１阻止部材６１と載置面５１ａとの間に原稿搬送方向Ｂの上流側から挿入する場合、所定の高さＨを超えて凹状にカールした原稿Ｓが第１阻止部材６１の上流側部６３に当接する。上記のカールした原稿Ｓが上流側部６３の当接面６３ｂ（図９参照）に当接した状態で原稿Ｓがさらに挿入されると、上流側部６３の当接面６３ｂを挿入方向に押圧することで、ロック部材６７の第１阻止部材６１に対する係止が解除される。ロック部材６７の係止が解除される機構は第１実施形態と同様である。
【００４９】
図９に示すように、第１阻止部材６１は、ロック部材６７による係止が解除されると、第１阻止部材６１の慣性モーメントにより、第１支軸６５を中心に反時計回りに回転する。第１阻止部材６１の回転により、下流側部６２は載置面５１ａ側に回動し、下流側部６２の回動端が載置面５１ａに当接する。或いは、原稿束の下側の一部の原稿Ｓが、既に下流側部６２を超えて原稿搬送方向Ｂの下流側に挿入されている場合、下流側部６２は、載置面５１ａ上の原稿Ｓに当接する。また、下流側部６２が載置面５１ａ側に回動すると、第２阻止部材７３は、その自重により第２支軸７４を中心に時計回り方向に回転し、第２阻止部材７３の回動端が下流側部６２の上面６２ａに当接する。第２阻止部材７３が下流側部６２の上面６２ａに当接することで、第２阻止部材７３が上側から下流側部６２を押さえるので、原稿Ｓが載置面５１ａと第１阻止部材６１との間にさらに挿入されることが一層阻止される。従って、原稿Ｓが載置面５１ａと第１阻止部材６１との間に無理に挿入されることがなく、原稿を傷めることがない。
【００５０】
同様に、載置面５１ａに載置可能な所定の枚数を超える束状の原稿Ｓを第１阻止部材６１と載置面５１ａとの間に挿入する場合も、所定の枚数を超えた原稿Ｓが上流側部６３に当接し、上流側部６３の当接面６３ｂを挿入方向に押圧することで、ロック部材６７の第１阻止部材６１に対する係止が解除され、下流側部６２は載置面５１ａ側に回動する。また、第２阻止部材７３は第２支軸７４を中心に時計回り方向に回転し、その回動端が下流側部６２の上面６２ａに当接する。下流側部６２が載置面５１ａ側に回動するとともに、第２阻止部材７３が上側から下流側部６２を押さえることで、原稿Ｓが載置面５１ａと第１阻止部材６１との間にさらに挿入されることが阻止される。
【００５１】
尚、上記第２実施形態では、第１阻止部材６１の下流側部６２が載置面５１ａに対して平行状態に保持されているとき、第２阻止部材７３は、載置面５１ａに対して平行状態となるように配設される構成を示した。本発明はこれに限らず、第２阻止部材７３は、下流側部６２の上面６２ａに常に当接している構成であれば、載置面５１ａに対して平行状態でなくてもよく、載置面５１ａに対して傾斜して配置されてもよい。また、第２支軸７４は、原稿搬送方向Ｂの下流側の配置に替えて、原稿搬送方向Ｂの上流側に配置され、第２阻止部材７３の下流側部６２への当接部（回動端）が原稿搬送方向Ｂの下流側に配置される構成であってもよい。
【００５２】
（第３実施形態）
図１０は、第３実施形態に係る原稿給送装置２７のシート押え部６０を示す側面図である。尚、図１０は、カールした原稿Ｓがシートテーブル５１に載置されることを阻止した状態を示す。第３実施形態は、第１阻止部材６１の下流側部６２に第２阻止部材７３を保持するためのロック部材に磁石を用いたものである。
【００５３】
第１阻止部材６１には磁石７８が設けられる。磁石７８は、下流側部６２の上面６２ａに固着される平板状の永久磁石である。第２阻止部材７３には、磁石７８に吸着される材料からなる金属板７９が設けられる。金属板７９は第２阻止部材７３の下面７３ａに固着される。載置面５１ａに原稿Ｓを載置可能な状態（初期状態）では、金属板７９は磁石７８に対向し、磁石７８の磁力によって吸着される。これにより、第１阻止部材６１の下流側部６２と第２阻止部材７３が載置面５１ａに対して夫々平行状態に配置される。
【００５４】
磁石７８と金属板７９はロック部材を構成する。金属板７９が磁石７８の磁力によって吸着されることで、下流側部６２と第２阻止部材７３が載置面５１ａに対して夫々平行状態（初期状態）に確実に保持される。
【００５５】
尚、上記第１〜第３実施形態では、シート給送装置を画像形成装置１００の原稿給送装置２７に適用する例を示したが、本発明はこれに限らず、シート給送装置を画像形成装置１００の用紙給紙部１０に適用してもよく、また、イメージスキャナーの原稿載置トレイに適用してもよい。
【００５６】
また、上記各実施形態では、ロック部材による第１阻止部材６１の係止が解除されたとき、第１阻止部材６１の慣性モーメント（自重）によって下流側部６２が反時計回り方向（下方向）に回動する構成としたが、これに限らず、例えばバネ等の付勢部材によって下流側部６２が下方向に回動する構成としても良い。
【産業上の利用可能性】
【００５７】
本発明は、複写機、プリンター、ファクシミリ、それらの複合機等の画像形成装置、或いはイメージスキャナーに用いる原稿等のシートを給送するシート給送装置及びそれを備えた画像形成装置に利用することができる。
【符号の説明】
【００５８】
２７    原稿給送装置（シート給送装置）
２９    原稿載置トレイ
３３    ピックアップローラー（給送手段）
３６    レジストローラー対（給送手段）
３８、３９    搬送ローラー対（給送手段）
５１    シートテーブル
５１ａ    載置面
５２    幅規制部材
５２ａ    接触面
６０    シート押え部
６１    第１阻止部材
６２    下流側部
６２ａ    上面
６３    上流側部
６３ａ    一方の面
６３ｂ    他方の面
６５    第１支軸
６７    ロック部材
６８    回転止め部材
６９    ピン
６９ａ  円形部
７１    バネ
７３    第２阻止部材
７３ａ    下面
７４    第２支軸
７６、７７    コロ
７８    磁石（ロック部材）
７９    金属板（ロック部材）
１００    画像形成装置
Ｂ    原稿搬送方向
Ｈ    所定枚数の原稿の高さ
Ｓ    原稿
【図１】
2014205555.tif 000003
【図３】
2014205555.tif 000004
【図４】
2014205555.tif 000005
【図５】
2014205555.tif 000006
【図６】
2014205555.tif 000007
【図７】
2014205555.tif 000008
【図８】
2014205555.tif 000009
【図９】
2014205555.tif 000010
【図１０】
2014205555.tif 000011
【図２】
2014205555.tif 000012